(57)【要約】  本発明は、つけまつげ及びその製造方法に関し、本発明の一側面によると、中心軸方向に沿って所定の長さだけ延長した柱部材と、柱部材の中心軸に対して所定の角度に傾いた状態で、柱部材の周囲方向に沿って柱部材の外周面に付着する第１面及び第１面と反対方向の第２面を有するテープと、前記テープの第２面に分離可能なように付着した固定端部及び前記固定端部から延長した自由端部をそれぞれ有する複数の原糸とを含むつけまつげが提供される。
2016536487.tif 000002
【特許請求の範囲】
【請求項１】
中心軸方向に沿って所定の長さだけ延長した柱部材と、
柱部材の中心軸に対して所定の角度に傾いた状態で、柱部材の周囲方向に沿って柱部材の外周面に付着した第１面及び第１面と反対方向の第２面を有するテープと、
前記テープの第２面に分離可能なように付着した固定端部及び前記固定端部から延長した自由端部をそれぞれ有する複数の原糸とを含むことを特徴とするつけまつげ。
【請求項２】
前記テープは、柱部材の周囲方向に沿って螺旋形に付着することを特徴とする請求項１に記載のつけまつげ。
【請求項３】
隣接する２本の原糸の自由端部の間隔は、固定端部の間隔よりも大きいことを特徴とする請求項１に記載のつけまつげ。
【請求項４】
隣接する複数の原糸の固定端部は、テープから一体に分離するように別途の接着剤によって接着されることを特徴とする請求項１に記載のつけまつげ。
【請求項５】
隣接する複数の原糸の自由端部は、テープから一体に分離するように別途の接着剤によって接着されることを特徴とする請求項１に記載のつけまつげ。
【請求項６】
原糸は、固定端部から自由端部側に行くほど柱部材から遠ざかるようにカーリング（ｃｕｒｌｉｎｇ）することを特徴とする請求項１に記載のつけまつげ。
【請求項７】
中心軸に直交する柱部材の断面は、円形、楕円形、又は多角形であることを特徴とする請求項１に記載のつけまつげ。
【請求項８】
前記柱部材には、中心軸方向に沿って一部領域にテープが付着し、残りの領域にテープが付着しないことを特徴とする請求項１に記載のつけまつげ。
【請求項９】
柱部材は、中心軸方向に沿ってテープが付着する第１領域とテープが付着しない第２領域とに区分され、第２領域の直径は第１領域の直径よりも小さく形成されることを特徴とする請求項８に記載のつけまつげ。
【請求項１０】
柱部材の外周面には、柱部材の周囲方向に沿って螺旋形に突出したガイド部材が設けられることを特徴とする請求項２に記載のつけまつげ。
【請求項１１】
ガイド部材は、螺旋形方向に沿って連続的又は断続的に形成されることを特徴とする請求項１０に記載のつけまつげ。
【請求項１２】
柱部材には、中心軸方向に沿った少なくとも１つの縦断部に拡張した直径を有するリング部材が設けられることを特徴とする請求項１に記載のつけまつげ。
【請求項１３】
少なくとも２本の原糸は、長さが互いに異なることを特徴とする請求項１に記載のつけまつげ。
【請求項１４】
少なくとも２本の原糸は、色が互いに異なることを特徴とする請求項１に記載のつけまつげ。
【請求項１５】
（ａ）第１面及び第１面の反対方向の第２面を有し、第２面に分離可能なように複数の原糸が付着したテープを準備する段階と、
（ｂ）テープの第１面を柱部材の中心軸に対して所定の角度に傾いた状態で、柱部材の周囲方向に沿って柱部材の外周面に付着させる段階とを含むことを特徴とするつけまつげの製造方法。
【請求項１６】
段階（ｂ）において、前記テープは、柱部材の周囲方向に沿って螺旋形に付着することを特徴とする請求項１５に記載のつけまつげの製造方法。
【請求項１７】
複数の原糸は、テープの第２面に付着する固定端部及び前記固定端部から延長する自由端部をそれぞれ有し、
段階（ａ）において、隣接する複数の原糸の固定端部は、該当の原糸がテープから一体に分離するように別途の接着剤によって接着されることを特徴とする請求項１５に記載のつけまつげ。
【請求項１８】
複数の原糸は、テープの第２面に付着する固定端部及び前記固定端部から延長する自由端部をそれぞれ有し、
段階（ａ）において、隣接する複数の原糸の自由端部は、該当の原糸がテープから一体に分離するように別途の接着剤によって接着されることを特徴とする請求項１５に記載のつけまつげの製造方法。
【発明の詳細な説明】
【技術分野】
【０００１】
本発明は、つけまつげ及びその製造方法に関し、１本又は複数本を便利に取り外すことができ、施術が容易であり、まつげのデザインを多様に演出することができるつけまつげ及びその製造方法に関する。
【背景技術】
【０００２】
最近の化粧術の１つとして、目を大きく見せるようにする上に、多様なまつげデザインを演出するためにつけまつげが使われている。
【０００３】
図１は、一般的なつけまつげ１０を示した斜視図である。
【０００４】
前記つけまつげ１０は、テープ１１と、前記テープ１１に付着する複数の原糸１２とを含む。複数の原糸１２はテープ上に稠密に付着する。施術者はピンセットを利用してテープから原糸１２を１本ずつ取り外し、分離した原糸１２を人間のまつげに付ける。このように、原糸１２をまつげに追加で付けることにより、まつげが長く見えるようになり、まつげが多く見えるようになる。
【０００５】
一方、まつげを延長させるための一般的なつけまつげ１０は、一直線ラインのテープ１１上に複数の原糸１２がぎっしりと付着した構造を有しているため、これによって施術者がテープから原糸を１本ずつ取り外すことが困難である上に、所望する本数だけを取り外すことが困難であるという問題がある。さらに、作業動線が長くなり、施術時間が長くなるという問題が発生する。
【発明の概要】
【発明が解決しようとする課題】
【０００６】
本発明は、１本又は複数本の原糸を便利に取り外すことができるつけまつげ及びその製造方法を提供すること、解決しようとする課題とする。
【０００７】
また、本発明は、施術が容易であり、まつげデザインを多様に演出することができるつけまつげ及びその製造方法を提供することを、解決しようとする課題とする。
【０００８】
なお、本発明は、施術時に作業動線を減らし、施術時間を減らすことができるつけまつげ及びその製造方法を提供することを、解決しようとする課題とする。
【課題を解決するための手段】
【０００９】
上述した課題を解決するために、本発明の一側面によると、中心軸方向に沿って所定の長さだけ延長した柱部材と、柱部材の中心軸に対して所定の角度に傾いた状態で、柱部材の周囲方向に沿って柱部材の外周面に付着した第１面及び第１面と反対方向の第２面を有するテープと、前記テープの第２面に分離可能なように付着する固定端部及び前記固定端部から延長した自由端部をそれぞれ有する複数の原糸とを含むつけまつげを提供する。
【００１０】
また、前記テープは、柱部材の周囲方向に沿って螺旋形に付着することができる。
【００１１】
なお、隣接する２つの原糸の自由端部の間隔は、固定端部の間隔よりも大きくなることができる。
【００１２】
また、隣接する２〜５本の原糸の固定端部は、テープから一体に分離するように別途の接着剤によって接着されることができる。
【００１３】
なお、隣接する２〜５つの原糸の自由端部は、テープから一体に分離するように別途の接着剤によって接着されることができる。
【００１４】
また、原糸は、固定端部から自由端部側に行くほど柱部材から遠ざかるようにカーリング（ｃｕｒｌｉｎｇ）してもよい。
【００１５】
なお、中心軸に直交する柱部材の断面は、円形、楕円形、又は多角形であることができる。
【００１６】
また、前記柱部材には、中心軸方向に沿って一部領域にはテープが付着し、残りの領域にはテープが付着しないこともできる。
【００１７】
なお、柱部材は、中心軸方向に沿ってテープが付着する第１領域とテープが付着しない第２領域とに区分され、第２領域の直径は第１領域の直径よりも小さく形成することができる。
【００１８】
また、柱部材の外周面には、柱部材の周囲方向に沿って螺旋形に突出したガイド部材を設けることができる。
【００１９】
なお、ガイド部材は、螺旋形方向に沿って連続的又は断続的に形成することができる。
【００２０】
また、柱部材には、中心軸方向に沿った少なくとも１つの縦断部に拡張した直径を有するリング部材を設けることができる。
【００２１】
なお、複数の原糸は、隣接する２つの原糸が第１間隔又は第１間隔とは異なる第２間隔に配列されるように設けることができる。
【００２２】
また、少なくとも２つの原糸は、色が互いに異なることができる。
【００２３】
なお、本発明のさらに他の側面によると、第１面及び第１面の反対方向の第２面を有し、第２面に分離可能なように複数の原糸が付着したテープを準備するステップ（ａ）と、テープの第１面を柱部材の中心軸に対して所定の角度に傾いた状態で、柱部材の周囲方向に沿って柱部材の外周面に付着させる段階（ｂ）とを含むつけまつげの製造方法を提供する。
【発明の効果】
【００２４】
上述したように、本発明の一実施形態によるつけまつげ及びその製造方法は、次のような効果を有する。
【００２５】
複数の原糸が付着したテープが柱部材の周囲方向に沿って付着されることにより、隣接する２つの原糸の自由端部の間隔は固定端部の間隔よりも大きくなり、したがって、１本又は複数本の原糸をテープから便利に取り外すことができる。さらに、施術者が肉眼で容易に原糸の本数を識別することができ、これによって所望する本数だけをテープから便利に取り外すことができる。
【００２６】
また、まつげの施術が容易であり、多様なパターンの原糸によってまつげのデザインを多様に演出することができる。
【００２７】
なお、まつげの施術時に、施術者が柱部材をつかんで施術することができるため、作業動線を減らし、施術時間を減らすことができる。
【図面の簡単な説明】
【００２８】
【図１】一般的なつけまつげを示した斜視図である。
【図２】本発明の一実施形態によるつけまつげの斜視図である。
【図３】本発明の一実施形態によるつけまつげを構成する柱部材の斜視図である。
【図４】本発明のつけまつげを構成するテープを広げた状態の断面図である。
【図５】本発明のつけまつげを構成する原糸の第１パターンを示した斜視図である。
【図６】本発明のつけまつげを構成する原糸の第２パターンを示した斜視図である。
【図７】本発明の一実施形態によるつけまつげの一使用状態を示した斜視図である。
【図８】本発明の一実施形態によるつけまつげの一使用状態を示した斜視図である。
【発明を実施するための形態】
【００２９】
以下、本発明の一実施形態によるつけまつげ及びその製造方法について、添付の図面を参照しながら詳しく説明する。
【００３０】
また、図面符号にかかわらず、同一であったり対応する構成要素には同一又は類似の参照番号を付与し、これに関する重複する説明は省略し、説明の便宜のために、図に示された各構成部材の大きさ及び形状は、誇張したり縮小することがある。
【００３１】
図２は、本発明の一実施形態によるつけまつげの斜視図であり、図３は、本発明の一実施形態によるつけまつげを構成する柱部材の斜視図であり、図４は、本発明のつけまつげを構成するテープを広げた状態の断面図である。
【００３２】
本発明の一実施形態によるつけまつげ１００は、柱部材１１０と、テープ１３０と、複数の原糸１４０とを含む。
【００３３】
前記柱部材１１０は、中心軸（Ｃ）方向に沿って所定の長さだけ延長する。前記柱部材１１０には、上述したテープ１３０が付着している。前記柱部材１１０は、紙材質、樹脂材質、又は金属材質で形成することができる。また、中心軸（Ｃ）に直交する柱部材１１０の断面は、円形、楕円形、又は多角形であることができる。例えば、柱部材１１０は円柱形状を有することができる。
【００３４】
前記テープ１３０は、柱部材１１０の中心軸（Ｃ）に対して所定の角度に傾いた状態で、柱部材１１０の周囲方向に沿って柱部材１１０の外周面１１１に付着する第１面１３１と、第１面１３１と反対方向の第２面１３２とを有する。前記テープ１３０は、第１面１３１の少なくとも一部領域に設けられた第１接着層１３３と、第２面１３２の少なくとも一部領域に設けられた第２接着層１３４とを有する。それぞれの接着層１３３、１３４の面積は、それぞれの面１３１、１３２の面積以下に設定することができる。また、前記テープ１３０は、長さ方向に延長したバンド（帯）形状を有することができる。一方、本文書において接着層とは、粘着層を含む概念として理解することができる。
【００３５】
このとき、テープ１３０の第１面１３１は、テープ１３０の長さ方向が柱部材１１０の中心軸（Ｃ）に対して所定の角度に傾いた状態で、柱部材１１０の周囲方向に沿って柱部材１１０の外周面１１１に付着する。例えば、前記テープ１３０は、柱部材１１０の中心軸（Ｃ）に対して直交するように付着することができる。これとは異なるように、図２を参照すると、前記テープ１３０は、柱部材１１０の周囲方向に沿って螺旋形に付着することができる。
【００３６】
図３を参照すると、柱部材１１０の外周面１１１には、外部に突出したガイド部材１２０を設けることができる。具体的に、前記柱部材１１０の外周面１１１には、柱部材１１０の周囲方向に沿って螺旋形に突出したガイド部材１２０を設けることができる。ここで、ガイド部材１２０は、柱部材１１０の中心軸方向を基準として螺旋形に設けられる。
【００３７】
したがって、前記ガイド部材１２０によって、螺旋形に巻き付けるテープ１３０の付着領域１１２を形成することができる。使用者は、前記ガイド部材１２０の案内にしたがってテープ１３０を容易に柱部材１１０に螺旋形に付着させることができる。また、ガイド部材１２０は、螺旋形方向に沿って連続的又は断続的に形成することができる。
【００３８】
一方、柱部材１１０には、中心軸（Ｃ）方向に沿った少なくとも１つの縦断部に拡張した直径を有するリング部材１１４、１１５を設けることもできる。前記リング部材１１４、１１５には、多様な装飾材を設けることができる。
【００３９】
前記つけまつげ１００は、まつげ施術のための複数の原糸１４０を含む。ここで、複数の原糸１４０は、隣接する２つの原糸が第１間隔又は第１間隔とは異なる第２間隔で配列することができる。また、複数の原糸は、規則的な間隔で配列することもでき、一部で不規則的に配列することもできる。また、複数の原糸１４０は、すべて同じ色を有することもでき、少なくとも２つの原糸は色が互いに異なることもできる。また、複数の原糸１４０は、すべて同じ長さを有することもでき、少なくとも２本の原糸は長さが互いに異なることもできる。
【００４０】
それぞれの原糸１４０は、前記テープ１３０の第２面１３２に分離可能なように付着する固定端部１４１と、前記固定端部１４１から延長した自由端部１４２とを有する。本文書において原糸の固定端部１４１とは、テープ１３０に付着した領域及び前記領域の周辺領域を含むものと理解することができ、原糸１４１の自由端部１４２とは、テープ１３０に付着していない領域、例えば、原糸の端部分を意味するものと理解することができる。また、それぞれの原糸１４０は、固定端部１４１から自由端部１４２に行くほど直径が小さくなるように設けることができる。
【００４１】
また、隣接する２本の原糸の自由端部１４２の間隔（ｄ２）は、固定端部１４１の間隔（ｄ１）よりも大きくなることができる。特に、図４に示すように、テープ１３０を広げた状態で、隣接する２本の原糸の自由端部の間隔は、固定端部の間隔と同じである場合がある。このような場合にも、複数の原糸１４０が付着したテープ１３０を柱部材１１０に付着するようになると、隣接する２本の原糸の自由端部の間隔（ｄ２）は、固定端部の間隔（ｄ１）よりも大きくなる。すなわち、テープ１３０を広げた状態で、複数の原糸１４０を稠密にテープ１３０に付着させた場合にも、実際の施術時には、柱部材１１０に巻き付けられた状態のテープ１３０では、隣接する２本の原糸の自由端部の間隔（ｄ２）が固定端部の間隔（ｄ１）よりも大きくなる。
【００４２】
なお、それぞれの原糸１４０は、固定端部１４１から自由端部１４２側に行くほど柱部材１１０から遠ざかるようにカーリング（ｃｕｒｌｉｎｇ）することができる。言い換えれば、テープ１３０を広げた状態で、それぞれの原糸１４０は、固定端部１４１から自由端部１４２側に行くほどテープ１３０の第２面１３２から遠ざかるようにカーリング（ｃｕｒｌｉｎｇ）することができる。このようなカーリングにより、まつげデザインの演出が多様になり、施術者の肉眼での観察が容易になる。
【００４３】
また、複数の原糸１４０が付着したテープ１３０を柱部材１１０に付着するようになると、隣接する２本の原糸の自由端部の間隔（ｄ２）は、固定端部の間隔（ｄ１）よりもさらに大きくなることができる。
【００４４】
図５は、本発明のつけまつげを構成する原糸の第１パターン１５０を示した斜視図である。
【００４５】
図５を参照すると、隣接する複数の原糸１４０の固定端部１４１は、テープ１３０から一体に分離するように別途の接着剤によって接着されることができる。例えば、隣接する２〜５本の原糸１４０の固定端部１４１は、テープ１３０から一体に分離するように別途の接着剤によって接着されることができる。本文書では、隣接する２〜５本の原糸１４０の固定端部１４１が別途の接着剤によって接着した状態を第１パターン１５０と称する。
【００４６】
第１パターン１５０は、隣接する２〜５本の原糸１４０の固定端部１４１に糊付けをすることによって形成することができる。第１パターン１５０は、施術者が所望するだけの原糸本を取り外すときに、原糸本が散らばることを防ぐことができる。また、相対的に糊付けがなされない自由端部１４２の間隔が広く広がるようになるため、原糸の本数がよく見えるようになる効果を得ることができる。また、調整された複数本を意図的に使用することにより、迅速に豊かなまつげ延長術を可能にする。
【００４７】
一方、テープ１３０上に配列される第１パターン１５０を構成する原糸の本数は、同じように設けたり、互いに異なるように設けることができる。例えば、３本の第１パターンだけで規則的に配列することもできるし、２本の第１パターンと５本の第１パターンを組み合わせて不規則的に配列することもできる。また、特定の第１パターンを形成する複数の原糸は、互いに長さが異なるように設けることもできる。
【００４８】
図６は、本発明のつけまつげを構成する原糸の第２パターン１６０を示した斜視図である。
【００４９】
図６を参照すると、隣接する複数の原糸１４０の自由端部１４２は、テープ１３０から一体に分離するように別途の接着剤によって接着されることができる。例えば、隣接する２〜５本の原糸１４０の自由端部１４２は、テープ１３０から一体に分離するように別途の接着剤によって接着されることができる。本文書では、隣接する２〜５本の原糸１４０の自由端部１４２が別途の接着剤によって接着した状態を第２パターン１６０と称する。
【００５０】
第２パターン１６０は、隣接する２〜５本の原糸１４０の自由端部１４２に糊付けをすることによって形成することができる。第２パターン１６０の場合は、複数の原糸１４０の端部分を糊付けすることによって形成することができる。第２パターン１６０は、原糸の本数がよく見える効果を得ることができ、豊かなボリューム効果を演出することができる。特に、１本のまつげ延長の後、時間の経過によって原糸が横倒れする現象を防ぐことができる。
【００５１】
同じように、テープ１３０上に配列する第２パターン１６０を構成する原糸の本数は、同じように設けたり、異なるように設けることができる。例えば、３本の第２パターンだけで規則的に配列することもでき、２本の第２パターンと５本の第２パターンを組み合わせて不規則的に配列することもできる。
【００５２】
また、特定の第２パターンを形成する複数の原糸は、互いに長さが異なるように設けることもできる。
【００５３】
一方、今までは２〜５本の原糸によってそれぞれのパターンを形成する実施形態について説明したが、それぞれのパターンは原糸の本数に制限されず、第１パターン１５０と第２パターン１６０を形成する原糸１４０の本数は多様に決めることができる。
【００５４】
図２及び図３を参照すると、前記柱部材１１０には、中心軸（Ｃ）方向に沿って一部領域１１０ａ（第１領域ともする）にはテープ１３０が付着し、残りの領域１１０ｂ（第２領域ともする）にはテープ１３０が付着しないようにすることもできる。
【００５５】
言い換えれば、柱部材１１０は、テープ１３０が付着する第１領域１１０ａと、まつげの施術時に施術者の持ち手機能を行う第２領域１１０ｂとに区分することができる。このとき、第１領域１１０ａと第２領域１１０ｂの直径は、互いに異なるように設定することができる。例えば、第１領域１１０ａの直径は、第２領域１１０ｂの直径よりも大きく設定することができる。
【００５６】
整理すると、柱部材１１０は、中心軸方向に沿ってテープ１３０が付着する第１領域１１０ａと、テープ１３０が付着しない第２領域１１０ｂとに区分され、第２領域１１０ｂの直径は第１領域１１０ａの直径よりも小さく形成することができる。また、上述したガイド突起１２０は、第１領域１１０ａに設けることができる。一方、第２領域１１０ｂの少なくとも一部の領域は、持ち手部１１３として形成することができる。例えば、前記持ち手部１１３は、くびれた形状を有することもできる。
【００５７】
図７及び図８は、本発明の一実施形態によるつけまつげ１００の一使用状態を示した斜視図である。
【００５８】
図７及び図８を参照すると、施術者が、片手では柱部材１１０をつかみ、他の手ではピンセットを持った状態でテープ１３０から原糸１４０を取り外すことができるため、作業動線を減らし、施術時間を減らすことができる。
【００５９】
本発明の一実施形態によるつけまつげの製造方法は、第１面及び第１面の反対方向の第２面を有し、第２面に分離可能なように複数の原糸１４０が付着したテープ１３０を準備する段階（ａ）を含む。
【００６０】
また、前記つけまつげの製造方法は、テープ１３０の第１面を柱部材１１０の中心軸（Ｃ）に対して所定の角度に傾いた状態で、柱部材１１０の周囲方向に沿って柱部材１１０の外周面１１１に付着させる段階（ｂ）を含む。
【００６１】
上述したように、段階（ｂ）において、前記テープ１３０は、柱部材１１０の周囲方向に沿って螺旋形に付着することができる。
【００６２】
また、複数の原糸１４０は、テープ１３０の第２面に付着する固定端部及び前記固定端部から延長した自由端部をそれぞれ有し、段階（ａ）において、隣接する複数の原糸の固定端部は、該当の原糸がテープから一体に分離するように別途の接着剤によって接着されることができる。これとは異なり、段階（ａ）において、隣接する複数の原糸の自由端部は、該当の原糸がテープから一体に分離するように別途の接着剤によって接着されることができる。
【００６３】
上述して説明された本発明の好ましい実施形態は、例示の目的のために開示されたものであって、本発明に対する通常の知識を有する当業者であれば、本発明の思想と範囲内で多様な修正、変更、付加が可能なはずであり、このような修正、変更、及び付加は、添付の特許請求の範囲に属するものと見なければならない。
【産業上の利用可能性】
【００６４】
本発明の一実施形態によると、まつげ施術が容易であり、多様なパターンの原糸によってまつげデザインを多様に演出することができ、まつげ施術時に施術者が柱部材をつかんで施術することができるため、作業動線を減らし、施術時間を減らすことができる。
【図１】
2016536487.tif 000003
【図２】
2016536487.tif 000004
【図３】
2016536487.tif 000005
【図４】
2016536487.tif 000006
【図５】
2016536487.tif 000007
【図６】
2016536487.tif 000008
【図７】
2016536487.tif 000009
【図８】
2016536487.tif 000010
【国際調査報告】
2016536487.tif 000011
2016536487.tif 000012
2016536487.tif 000013
2016536487.tif 000014